(57)【要約】      （修正有）【課題】大容量のＨＤＤのような録画メディアであっても、ハイビジョンデジタル放送番組を、そのまま録画すると、録画スペースがすぐに減ってしまうということがないように、無駄な記録データを減らし効率的に録画する。【解決手段】ハイビジョンデジタル放送信号の受信データであるＭＰＥＧ２−ＴＳ（トランスポートストリーム）信号（ＴＳ＝映像＋音声＋字幕データ＋ＢＭＬ（Broadcast  Markup  Language）＋その他のデータ）から録画にとって必要なデータ情報のみ、例えば、ＴＳ’＝映像＋音声＋字幕データ，あるいは、ＴＳ’’＝映像＋音声を録画する。【選択図】図１
2010045799.tif 000002
【特許請求の範囲】
【請求項１】
番組を記録する録画再生装置において、
録画コマンドを発生するための操作部を備え、
番組の表示中に前記操作部に対して操作が為されると、当該番組に対する録画時間を設定するための選択項目が画面上に表示され、
該選択項目は、予め定められた複数の録画時間を示す複数の第１項目と、当該番組の放送終了時間までを録画時間とする第２項目とを含み、
前記操作部に対する操作に応じて、前記複数の第１項目の一つまたは前記第２項目のいずれかが前記番組の録画時間として設定可能であることを特徴とする録画再生装置。
【請求項２】
請求項１に記載の録画再生装置において、
前記操作部に対する操作回数に従って、前記複数の第１項目と前記第２項目とが切り替え表示されることを特徴とする録画再生装置。
【請求項３】
請求項１に記載の録画再生装置において、
番組の表示中に前記操作部が操作されると最初に前記第２項目が表示され、更に前記操作部が操作されると、該操作回数に応じて録画時間が短い順に前記複数の第１項目が順次切り替え表示されることを特徴とする録画再生装置。
【請求項４】
請求項１に記載の録画再生装置において、前記第２項目が選択されると、表示中の番組のＥＰＧデータに含まれる当該番組の放送終了時刻を用いて、当該番組の録画終了時間を設定することを特徴とする録画再生装置。
【発明の詳細な説明】
【技術分野】
【０００１】
本発明は、録画再生装置及び録画再生装置を含むテレビジョン受信機に関する。
【背景技術】
【０００２】
デジタル放送番組を記録することのできる録画再生装置、あるいは、録画再生装置を内蔵した放送用のテレビジョン受信機の開発が進められている。これらに用いられる録画再生装置としては、ＨＤＤ（ハードディスクドライブ）、ＤＶＤ、ブルーレイディスクなどの記録メディアを用いた大容量の録画再生装置が開発されている。
【０００３】
録画再生装置に記録するデータを削減するための技術としては、図１２に示すように、
例えばハイビジョンテレビジョン信号を記録する場合に、ハイビジョンフォーマットを維持したままレートを下げるレート変換技術、あるいは、ハイビジョンフォーマットから画素数の少ないスタンダードフォーマットに変換するサイズ変換技術が知られている。
【０００４】
また、特許文献１には、記憶容量が必要以上に消費されないようにするために、繰り返し送信される同一のデータのうち最初のデータを記録し、それ以降の同一のデータは破棄する記録再生装置が開示されている。
【先行技術文献】
【特許文献】
【０００５】
【特許文献１】特開２００６−６０５８７号公報
【発明の概要】
【発明が解決しようとする課題】
【０００６】
しかしながら、大容量のＨＤＤのような録画メディアであっても、例えばハイビジョンデジタル放送番組のようなデータ量の多い信号をそのまま記録すると、記録スペースがすぐに減ってしまうという問題点があった。録画再生装置を含むテレビジョン受信機の従来技術においては、全てを記録していた。
【課題を解決するための手段】
【０００７】
本発明は、デジタル放送信号の受信データであるトランスポートストリーム（ＴＳ）が映像データ、音声データ、及び例えばＢＭＬ（Broadcast  Markup  Language）で記述されるデータ放送のためのデータを含む場合に、上記データ放送を除いて映像データ、音声データを記録することを特徴とするものである。ＴＳに字幕データを含む場合は、該字幕データも上記映像及び音声データとともに記録することが好ましいが、記録しなくてもよい。また、映像及び音声データとともにデータ放送を記録する第１のモードと、データ放送を除いて映像及び音声データを記録する第２のモードとを設け、これらをユーザにより選択させるようにしてもよい。
【発明の効果】
【０００８】
本発明によれば、限られた記憶容量の記録メディアにより多くの番組を高画質に記録することができる。
【図面の簡単な説明】
【０００９】
【図１】本発明の実施例１の録画再生装置を含むテレビジョン受信機の回路図である。
【図２】ハイビジョンデジタル放送信号の受信データであるＭＰＥＧ２−ＴＳ（トランスポートストリーム）信号と、実施例１で抽出されるＴＳ’＝映像＋音声＋字幕データの関係を示す図である。
【図３】本発明の実施例２の録画再生装置を含むテレビジョン受信機の回路図である。
【図４】本発明の実施例３の録画再生装置を含むテレビジョン受信機の回路図である。
【図５】本発明で使用するリモコン装置の例を示す図である。
【図６】本発明の実施例４の録画再生装置を含むテレビジョン受信機の回路図である。
【図７】リモコンと本体の録画ボタンと停止ボタン
【図８】クイックタイマー機能を使用時の画面表示例を示す図である。
【図９】本発明の実施例５の録画再生装置を含むテレビジョン受信機の回路図である。
【図１０】本発明の実施例６の各録画モードの選択手順を示す図である。
【図１１】録画モードにおける録画時間の例を示す表である。
【図１２】従来技術であるレート変換技術、サイズ変換技術を示す図である。
【発明を実施するための形態】
【００１０】
以下、図面を用いて、本発明の実施の形態について説明する。
【実施例１】
【００１１】
図１は、本発明の実施例１の録画再生装置を含むテレビジョン受信機の構成図を示している。また、図２は、ハイビジョンデジタル放送信号の受信データであるＭＰＥＧ２−ＴＳ（トランスポートストリーム）信号と、本発明の実施例１において抽出されるＴＳ’＝映像＋音声＋字幕データの関係を示している。尚、本実施例では、デジタル放送信号のトランスポートストリームとして、ＭＰＥＧ２−ＴＳを示しているが、これに限られるものではなく、他の符号化形式（例えばＭＰＥＧ４等）で圧縮符号化されたデータストリームを用いてもよい。
【００１２】
図１において、１はアンテナ、２はチューナ、３はビデオ抽出部、４はオーディオ抽出部、５は字幕抽出部、６はレート変換部、７は録画再生部、８は画像表示切換え処理部、９は表示装置、１０はＥＰＧデータ生成部、１１はマイコン、１２はリモコン受光部、１３はリモコンを示している。
【００１３】
図２において、ＭＰＥＧ２−ＴＳ（トランスポートストリーム）信号には、Ｖｉｄｅｏ信号２１、Ａｕｄｉｏ信号２２、字幕信号２３、ＢＭＬ信号（Broadcast  Markup  Language信号：テータ放送信号）２４、その他データ信号２５が含まれる。その他データ信号２５としては、放送ロゴ（“ＢＳ−ｈｉ１０３”）信号やＴＶ受信機側のダウンロード用データなどが含まれている。ここで、データ放送とは、上記のようにＢＭＬと呼ばれる言語で記述されたデータであり、例えばニュースや天気予報、株価や為替などのマーケット情報、広告、その他放送局側からのアンケートに応答するための双方向画面を視聴者（ユーザ）に提供するものである。このデータ放送は、Ｖｉｄｅｏ信号２１に基づく映像とともに、ユーザの要求に応じて画面上に表示される。すなわち、ユーザからデータ放送を表示するための要求があった場合は、このデータ放送の画面と映像とが合成されて画面上に表示される。
【００１４】
図１において、アンテナ１で受信された受信信号は、チューナ２で受信処理が行われ、画像表示切換え処理部８を介して表示装置９に映像表示される。同時に、もう一方のアンテナ１で受信された受信信号を録画再生部７で記録することができる。もう一方のアンテナ１で受信された受信信号は、チューナ２で受信処理が行われ、デジタル放送信号の受信データであるＭＰＥＧ２−ＴＳ  （トランスポートストリーム）信号となるが、本発明の実施例１では、ＭＰＥＧ２−ＴＳのうち、ビデオ抽出部３において、Ｖｉｄｅｏ信号２１が抽出され、また、オーディオ抽出部４において、Ａｕｄｉｏ信号２２が抽出され、字幕抽出部５において、字幕信号２３が抽出される。これらのＶｉｄｅｏ信号２１、Ａｕｄｉｏ信号２２、字幕信号２３は結合され、ＴＳ’信号（ＴＳ’＝映像＋音声＋字幕データ）となる。図２の下側に示されている信号がＴＳ’信号であり、ＢＭＬ信号２４とその他データ２５は含まれていない。このように構成することによって、ＴＳ’信号からはＢＭＬで記述されたデータ放送のデータが除かれることになる。従って、録画再生部７には、データ放送が除かれたＴＳ’信号が記録される。
【００１５】
上述したように、データ放送は、ニュースや天気予報、株価や為替などのマーケット情報等情報を含んでおり、これらの情報は即時性が高く、その放送当日もしくは放送時刻においてのみ有益なものが多い。一方、ユーザが録画した番組の再生は、多くの場合は、録画してからある程度の時間もしくは日数（例えば録画した日から２〜３日後）が経過してから行われる。よって、放送日または放送時刻からある程度の時間もしくは日数が経過したデータ放送の情報は、ユーザにとって有用性が低い。つまり、録画されたデータ放送の多くは、再生時には即時性が低下してユーザに対してあまり有益ではない。このため、本実施例では、ＴＳを記録する際に、再生時に有用性が低下するであろうデータ放送を削除して記録することによって、記録容量を確保し、より多くの映像／音声を録画可能としている。
【００１６】
図２に示されたＶｉｄｅｏ信号２１、Ａｕｄｉｏ信号２２、字幕信号２３、ＢＭＬ信号２４、その他データ２５は、それぞれそのデータが何を示しているのかを識別するためのＩＤ（ＰＩＤ）が付加されている。ビデオ抽出部３、オーディオ抽出部４、及び字幕抽出部は、上記ＩＤを用いることによってＴＳからＶｉｄｅｏ信号２１、Ａｕｄｉｏ信号２２、字幕信号２３を識別し、選択的に抽出している。
【００１７】
図１に示された実施例１の録画再生装置を含むテレビジョン受信機は、ビデオ抽出部３、オーディオ抽出部４、字幕抽出部５を備えていて、Ｖｉｄｅｏ信号２１、Ａｕｄｉｏ信号２２、及び字幕信号２３のみが抽出される。しかしながら、ビデオ抽出部３、オーディオ抽出部４、字幕抽出部５以外に、ＢＭＬ抽出部、その他データ抽出部を備えていて、ＢＭＬ信号２４とその他データ２５をも抽出するが、ＢＭＬ信号２４とその他データ２５は、ＴＳ’信号には含まれないようにするように構成に変更することも可能である。
【００１８】
このように、本発明の実施例１では、ＭＰＥＧ２−ＴＳ（トランスポートストリーム）信号から、ＢＭＬ信号２４、その他データ信号２５を除いた、Ｖｉｄｅｏ信号２１、Ａｕｄｉｏ信号２２、字幕信号２３のみを録画再生部７に記録することにより、限られた記憶容量の記録メディアにより多くの番組を高画質に記録することができる。なお、図１には、アンテナ１とチューナ２を２系統配置する例を示したが、実施例１の回路配置はこれに限定されるものではなく、１系統のアンテナ１とチューナ２を配置するなど他の回路配置に変更することができる。
【実施例２】
【００１９】
図３は、本発明の実施例２の録画再生装置を含むテレビジョン受信機の構成図を示している。図３に示される実施例２では、ＭＰＥＧ２−ＴＳ信号のうち、Ｖｉｄｅｏ信号２１とＡｕｄｉｏ信号２２とは記録されるが、データ放送（ＢＭＬ）とその他データ信号は録画されない。字幕信号２２については、記録する場合と記録しない場合をユーザが選択可能である。
【００２０】
図３において、チューナ２で受信処理が行われたＭＰＥＧ２−ＴＳ信号から、ビデオ抽
出部３において抽出されたＶｉｄｅｏ信号２１と、オーディオ抽出部４において抽出されＡｕｄｉｏ信号２２と、字幕抽出部５において抽出された字幕信号２３とが結合されたＴＳ’信号（ＴＳ’＝映像＋音声＋字幕データ）と、ビデオ抽出部３において抽出されたＶｉｄｅｏ信号２１と、オーディオ抽出部４において抽出されたＡｕｄｉｏ信号２２とが結合されたＴＳ’’信号（ＴＳ’’＝映像＋音声）となる。
【００２１】
ＴＳ’信号とＴＳ’’信号とが、切換部３０に入力する。ユーザは、リモコン１３等の操作を行い、リモコン１３から送信された制御信号は、リモコン受光部１２において受信され、電気信号に変換されてマイコン１１に入力される。
【００２２】
マイコン１１は、切換部３０の切換え制御を行うように構成されており、ユーザによるリモコン１３の操作により、切換部３０に入力されるＴＳ’信号（ＴＳ’＝映像＋音声＋字幕データ）と、ＴＳ’’信号（ＴＳ’’＝映像＋音声）とを選択して出力することができる。選択的に出力されたＴＳ’信号またはＴＳ’’信号は、レート変部３０において、レート変換された後、圧縮されたＴＳ’信号またはＴＳ’’信号が、録画再生部７において記録される。あるいは、選択的に出力されたＴＳ’信号またはＴＳ’’信号は、レート変部３０を介さずに、そのまま録画再生部７において記録される。
【００２３】
本発明の実施例２では、ＭＰＥＧ２−ＴＳ（トランスポートストリーム）信号から、ＢＭＬ信号２４、その他データ信号２５を除いた、ＴＳ’信号またはＴＳ’’信号をユーザが選択的に録画再生部７に記録することが可能である。よって、限られた記憶容量の記録メディアを用いて、ユーザの操作による選択的なＴＳ信号を記録して、多くの番組を高画質に記録することができる。なお、図３に示される回路配置は模式的なものであり、ＴＳ’信号またはＴＳ’’信号をユーザが選択的に記録するための回路構成は、上記回路配置に限定されるものではない。
【実施例３】
【００２４】
図４は、本発明の実施例３の録画再生装置を含むテレビジョン受信機の構成図を示している。図４に示された録画再生装置では、音声に主音声／副音声がある場合に、主音声／副音声の一方をユーザが選択して記録して、無駄な記録データを減らすことが可能であり、また、主音声／副音声の両方を記録するモードを備えるようにすることもできる。
【００２５】
図４において、特に、図１又は図３の例と比較すると、オーディオ抽出部４でＡｕｄｉｏ信号２２の主音声信号と副音声信号が分離して出力されて音声信号切換部４０に入力され、マイコン１１の制御により、音声信号切換え部により、主音声／副音声のうちの一方、または、主音声／副音声の両方の信号が、ビデオ抽出部３において抽出されたＶｉｄｅｏ信号２１と字幕抽出部５において抽出された字幕信号２３と結合されたＴＳ’’’信号が出力される。この結合されたＴＳ’’’信号は、レート変換部６によりレート変換され
て、あるいはそのまま録画再生部７において記録される。
【００２６】
本発明の実施例３では、主音声／副音声のうちの一方の記録が必要でない場合には、主音声／副音声のうちの一方が削除されたＴＳ’’’信号を記録することにより、多くの番組を高画質に記録することができる。なお、図４に示される回路配置は模式的なものであり、主音声／副音声のうちの一方、または、主音声／副音声の両方を選択する回路構成は、上記回路構成に限定されるものではなく、他の種々の回路構成を採用することができる。
【００２７】
図５は、本発明の各実施例で使用するリモコン装置の例を示す図である。図５において、５１は録画ボタン、５２は停止ボタン、５３は選択ボタン、５４は決定ボタン、５５はメニューボタン、５６はアップダウンボタン、５７は音量ボタン、５８はチャンネルボタンを示しており、これらのボタンを操作することにより、受信処理されたＭＰＥＧ２−ＴＳ（トランスポートストリーム）信号のうち、ユーザの選択により、記録が必要なデータのみを選択して記録することができる。なお、図５に示したリモコン装置は一例に過ぎず、他の任意の形態のリモコン装置、あるいは、録画再生装置本体に設けられた操作装置を用いるように変更することができる。
【実施例４】
【００２８】
図６は、本発明の実施例４の録画再生装置を含むテレビジョン受信機の回路構成図を示している。本実施例では、リモコン装置上の録画ボタン５１あるいは、録画再生装置の本体に設けられた録画ボタン５１の連続操作により録画終了までの時間を指定して設定できるクイックタイマー（３０分から６時間で選択可能）の機能を備えている。更に本実施例では、このクイックタイマーの機能に、デジタル放送の番組情報を使った「番組の終了まで」番組データを記録する機能を追加している。
【００２９】
このクイックタイマー機能は、ユーザが番組を視聴中（つまり表示装置９の画面上に番組が表示されているときに）実行され、表示装置９の画面上に番組が表示されているときに録画ボタン５１を操作すると、その番組が録画される。かかるクイックタイマー機能を用いて録画した場合でも、上記実施例１〜３と同様にデータ放送は記録されないものとする。
【００３０】
図６において、チューナ２で受信処理された信号からＥＰＧ（Electronic  Program  Guide：電子番組表）データ生成部１０において、ＥＰＧデータが生成される。また、ＥＰＧデータ生成部１０は、ＥＰＧデータから番組の番組終了時刻データを抽出し、マイコン１１に出力する。マイコン１０は、番組の終了時刻データを用いて、タイマー６０を制御して、録画再生部７の記録動作を開始・終了の制御を行う。
【００３１】
本発明の実施例４では、リモコン１３の操作によるクイックタイマー機能により、表示装置９の画面上に表示されている番組を、予め定められた時間、もしくはその番組の終了まで録画することが可能となる。なお、クイックタイマー機能、「番組の終了まで」録画の機能は、図６に示された構成に限定されず、他の形態をとることができる。また、番組の終了時刻を表す情報としては、ＥＰＧデータ中の番組終了時刻データに限らず、利用可能な他の番組終了時刻データを用いるように変更することができる。
【００３２】
図７には、クイックタイマーの操作に用いるリモコンまたは録画再生装置本体の録画ボタンと停止ボタンとを示す。本発明の実施例４では、録画ボタンを複数回押すことにより、クイックタイマーの「番組終了まで」と「３０分」「１時間」などの記録が終了するまでの時間の設定の操作を行うことができる。
【００３３】
図８は、クイックタイマー操作を行う際の、クイックタイマーの選択項目の表示例を示しており、この選択項目がユーザの任意により選択される。この選択項目は、２種類の項目を含んでいる。具体的には、図８上図の（３）〜（１０）及び数の（２）及び（４）〜（１０）に示されるように、予め定めた複数の録画時間を指定するための第１項目と、図８上図の（２）及び下図の（３）に示されるように、所望番組をその放送終了まで録画するための第２項目である。
【００３４】
図８には、（１）クイックタイマー表示なし（２）番組終了まで（３）３０分（４）１時間（５）１時間３０分（６）２時間（７）３時間（８）４時間（９）５時間（１０）６時間の例が示されている。ここで、（１）クイックタイマー表示なしは、クイックタイマー機能を用いずに録画を行う場合に表示される。例えば録画ボタン５１を１回押すと表示番組が９時間録画され、このときは上記（２）〜（１０）の先約項目は表示されない。すなわち、本実施例に係るクイックタイマー機能は、録画ボタン５１を２回押すことによって実行される。上記（２）〜（１０）の選択項目は、本実施例では同一画面上に表示されるものではなく、録画ボタン５１の操作回数（つまり録画ボタンが押された回数）によって順次切り替え表示されるものである。例えば、録画ボタン５１を２回押すと（２）の「番組終了まで」との選択項目が表示装置９の例えば画面の下部に表示される。また、例えば録画ボタン５１を３回押すと、「３０分」との選択項目が、「番組終了まで」に代えて同様に画面の下部に表示される。同様に、例えば録画ボタンを６回押すと「２時間」の選択項目が表示される。そして、ある番組の視聴中に、ユーザの好みの選択項目を録画ボタン５１により選択して表示すると、その表示された選択項目に対応する録画時間が、当該番組の録画時間として設定される。例えば録画ボタン５１を６回押して「２時間」との選択項目を表示させると、自動的に２時間後に録画動作が終了する。
【００３５】
一方、録画ボタン５１を２回押して「番組終了まで」を選択すると、録画ボタン５１を２回押した時点で録画が開始し、ＥＰＧデータから抽出した番組終了時刻データが示す当該番組の放送終了時刻まで録画が継続する。そして当該番組終了時刻データと装置内部のタイマーとを比較し、両者が一致した場合、すなわち当該番組の放送終了時刻になると録画動作が終了する。
【００３６】
本実施例では、「番組終了まで」を選択した場合は、ＥＰＧデータに含まれる番組終了時刻データに示され時刻に録画を終了するようにしている。しかしながら、各番組のデータストリームに付加される番組終了を示す終了データを用いてして録画を終了するようにしてもよい。例えば「番組終了まで」を選択して録画を開始し、上記終了データが検出された場合に、それに応答して録画動作を終了するようにしてもよい。
【００３７】
尚、図８には、上段と下段に、それぞれクイックタイマーの選択項目の異なる表示例を示している。第２項目である「番組終了まで」は、図８の上図に示されるように選択項目の先頭に位置している。それは、「番組終了まで」の項目は、ユーザが比較的よく選択する項目と考えられるので、当該項目は多くの操作を要せずに選択できることが好ましいからである。つまり、本実施例では、クイックタイマー機能を動作させるための操作（録画ボタン５１を２回押す操作）が為されると、最初に「番組終了まで」が表示されるようにしている。また、最初ではなく、図８の下図に示すように「番組終了まで」の項目を２番目に表示させるようにしてもよいが、上述のようになるべく少ない操作回数で当該選択項目を表示させることが好ましい。当然ながら、クイックタイマーの選択項目の表示例としては、上段と下段に示されたものに限定されず、他の表示例に変更することができる。
【００３８】
なお、番組放送の延長の場合には、延長するためのフラグ情報が、遅くても番組終了時刻の３０秒前には送られてくるので、そのフラグ情報を検出して、番組の延長時間に対応した録画の終了時刻の設定を行うように変更することができる。また、延長時間の設定は、例えば、１分単位に制御するように構成することができる。
【実施例５】
【００３９】
図９は、本発明の実施例５の録画再生装置を含むテレビジョン受信機の構成図を示している。図９の実施例５では、ＭＰＥＧ２−ＴＳ（トランスポートストリーム）信号を記録するための第１のモードと、ＴＳ’信号（ＴＳ’＝映像＋音声＋字幕データ）を記録するための第２のモードとをユーザが選択可能である。すなわち、第２のモードではデータ放送を除いて記録するモードであり、そのときの基本的な動作は、図１に示された実施例１と同様である。
【００４０】
図９において、アンテナ１で受信された受信信号は、チューナ２で受信処理が行われ、ＭＰＥＧ２−ＴＳ（トランスポートストリーム）信号として、画像表示切換え処理部８を介して表示装置９に映像表示される。同時に、もう一方のアンテナ１で受信された受信信号はチューナ２で受信処理が行われ、ハイビジョンデジタル放送信号の受信データであるＭＰＥＧ２−ＴＳ（トランスポートストリーム）信号となるが、ＭＰＥＧ２−ＴＳのうち、ビデオ抽出部３において、Ｖｉｄｅｏ信号２１が抽出され、また、オーディオ抽出部４において、Ａｕｄｉｏ信号２２が抽出され、字幕抽出部５において、字幕信号２３が抽出される。これらのＶｉｄｅｏ信号２１、Ａｕｄｉｏ信号２２、字幕信号２３は結合され、ＴＳ’信号（ＴＳ’＝映像＋音声＋字幕データ）となる。
【００４１】
図９の実施例５では、ＭＰＥＧ２−ＴＳ（トランスポートストリーム）信号とＴＳ’信号（ＴＳ’＝映像＋音声＋字幕データ）とが切換器９０に入力される。ユーザは、ＭＰＥＧ２−ＴＳ信号を記録する（つまりデータ放送を含めて記録する）第１のモードと、ＴＳ’信号を記録する（つまりデータ放送を除いて記録する）第２のモードとを選択することができる。すなわち、ユーザは、録画再生部に記録する信号として、リモコンのボタン操作もしくはメニュー画面に対する操作により、ＭＰＥＧ２−ＴＳ信号とＴＳ’信号とのどちらを選択するかを決定することができる。マイコン１１は、切換部９０の切換え制御を行うように構成されており、ユーザによるリモコン１３の操作により、切換部９０に入力されるＭＰＥＧ２−ＴＳ信号と、ＴＳ’信号（ＴＳ’＝映像＋音声＋字幕データ）を選択して出力することができる。選択的に出力されたＴＳ信号またはＴＳ’信号がレート変部３０において、レート変換された後、圧縮されたＴＳ信号またはＴＳ’信号が、録画再生部７において記録される。あるいは、選択的に出力されたＴＳ信号またはＴＳ’信号レート変部３０を介さずに、そのまま録画再生部７において記録される。
【００４２】
本発明の実施例５では、ＭＰＥＧ２−ＴＳ信号と、ＭＰＥＧ２−ＴＳ信号からＢＭＬ信号２４、その他データ信号２５を除いた、ＴＳ’とを、ユーザが選択的に録画再生部７に記録することが可能である。従って、ユーザが例えば広告などの即時性の低いデータ放送について録画を希望する場合は、第１のモードを選択し、データ放送の記録を希望しない場合は第２のモードを選択できる。このため、本実施例によれば、ユーザの要望に応じて、限られた記憶容量の記録メディアを用いて、多くの番組を高画質に記録することができる。なお、図９に示される回路配置は模式的なものであり、ＭＰＥＧ２−ＴＳ信号またはＴＳ’信号をユーザが選択的に記録するための回路構成は、上記回路配置に限定されるものではなく、他の回路配置に変更することができる。
【実施例６】
【００４３】
図１０は、本発明の実施例６の各録画モードの選択手順を示す図である。また、図１１は、録画モードにおける録画時間の例を示す表である。本発明の実施例６では、実施例１〜実施例５の各構成を組み合わせて構成し、ＴＳモード、ＴＳＥ１モード、ＴＳＥ２モード、ＸＰモード等の各種の録画モードをユーザが選択することができる。図１０には、各種の録画モードをユーザが選択する場合にユーザが操作するリモコン１３あるいは録画記録装置本体に設けられた各種ボタンと、各種の録画モードをユーザが選択する場合の操作手順を示している。
【００４４】
図１０において、まず、ステップＳ１において、アップダウンボタン５６を操作して録画したいチャンネルを選択する。次に、ステップＳ２において、選択ボタン５３を用いて「録画モード／残量」を選択した後、決定ボタン５４を押して、録画モードのメニュー選択画面を表示する。ステップＳ３において、選択ボタン５３を押してカーソルを上下させて、希望する録画モードを選ぶ。そして、ステップ４において、録画ボタン５１を押すと、希望するモードの録画が行われる。録画を停止する場合には、ステップＳ５において、停止ボタン５２を押すと録画が停止する。
【００４５】
図１１には、各種録画モードと、デジタル放送及びアナログ放送の倍の録画時間の例を示している。
【００４６】
ＭＰＥＧ２−ＴＳ（トランスポートストリーム）信号を録画するＴＳモードと、ＭＰＥＧ２−ＴＳ（トランスポートストリーム）信号のうち、必要な信号を選択して録画するＴＳＥ１モード、ＴＳＥ２モードなどの、録画モードをユーザが選択することができる。尚、ＸＰ、ＳＰ、ＬＰ、ＥＰモードは、ＴＳを記録するモードではなく、ＴＳを復号してアナログ信号に変換した後に、再びデジタル信号に変換して圧縮符号化して記録するモードである。
【００４７】
本発明の実施例６では、高効率ストリーム圧縮技術による、高圧縮ハイビジョン録画の「ＴＳＥ」モードの追加により、ハイビジョン番組の画質劣化を最小限に抑えながらＢＳデジタル放送で約５０時間（従来機種はＴＳモードで約１６時間）、地上デジタル放送なら約７０時間のＨＤＤ容量５００ＧＢ相当分の長時間録画を実現することができる。
【００４８】
なお、実施例６に示されたＴＳモード、ＴＳＥモード等は例示であり、また、その録画可能時間も例示に過ぎず、採用する各種モードあるいは、その場合の録画可能時間は、本発明の範囲内で異なる種類、異なる値に変更して設定することが可能である。
【符号の説明】
【００４９】
１    アンテナ
２    チューナ
３    ビデオ抽出部
４    オーディオ抽出部
５    字幕抽出部
６    レート変換部
７    録画再生部
８    画像表示切換え処理部
９    表示装置
１０    ＥＰＧデータ生成部
１１    マイコン
１２    リモコン受光部
１３    リモコン
２１    Ｖｉｄｅｏ信号
２２    Ａｕｄｉｏ信号
２３    字幕信号
２４    ＢＭＬ信号
２５    その他データ
３０    切換部
４０    音声信号切換部
５１    録画ボタン
５２    停止ボタン
５３    選択ボタン
５４    決定ボタン
５５    メニューボタン
５６    アップダウンボタン
５７    音量ボタン
５８    チャンネルボタン
６０    タイマー
９０    ＴＳ切換部
１１１    ＴＳモード
１１２    ＴＳＥモード
【図１】
2010045799.tif 000003
【図２】
2010045799.tif 000004
【図３】
2010045799.tif 000005
【図４】
2010045799.tif 000006
【図５】
2010045799.tif 000007
【図６】
2010045799.tif 000008
【図７】
2010045799.tif 000009
【図８】
2010045799.tif 000010
【図９】
2010045799.tif 000011
【図１０】
2010045799.tif 000012
【図１１】
2010045799.tif 000013
【図１２】
2010045799.tif 000014